(57)【要約】【課題】本発明は、簡略安価な構造でしかも身体の健康促進に有効であり、家庭や施設等において何人も安心安全に利用できるような浴槽、特に足浴槽に関する二酸化炭素泉浴装置を提供する。【解決手段】本発明に係る浴槽、特に足浴槽に関する二酸化炭素泉浴装置は、湯水Ｗを貯湯部３に貯留する浴槽本体２と、湯水Ｗ内に混入させる重曹４と、浴槽本体２内に配置する酸化カルシウムとアルミニウム粉末をベースとした発熱剤６を収容した熱源パック５と、湯水Ｗを浴槽本体２内で撹拌循環させる湯水撹拌循環手段１１とを有し、発熱剤６と湯水Ｗとの反応により湯水Ｗ適温に加熱するとともに、浴槽本体２内の湯水Ｗを湯水撹拌循環手段１１で撹拌循環させ湯水Ｗ中に炭酸ガスを発生させる構成としたものである。【選択図】図１
2010063828.tif 000002
【特許請求の範囲】
【請求項１】
湯水を貯湯部に貯留する浴槽本体と、
湯水内に混入させる重曹と、
浴槽本体内に配置する酸化カルシウムとアルミニウム粉末をベースとした発熱剤を収容した熱源パックと、
前記湯水を浴槽本体内で撹拌循環させる湯水撹拌循環手段と、
を有し、
前記発熱剤と湯水との反応により湯水を適温に加熱するとともに、前記浴槽本体内の湯水を湯水撹拌循環手段で撹拌循環させ前記湯水中に炭酸ガスを発生させるようにしたことを特徴とする二酸化炭素泉浴装置。
【請求項２】
湯水を貯湯部に貯留する浴槽本体と、
湯水内に混入させる重曹と、
浴槽本体内に配置する酸化カルシウムとアルミニウム粉末をベースとした発熱剤を収容した熱源パックと、
前記熱源パックを浴槽本体内で押さえ込む遠赤外線を放射する鉱石を用いた抑え部材と、
前記貯湯部に設けた仕切部により仕切られた仕切り内部に配置した湯水循環用のポンプ、仕切部に設けた湯水吸入口及び湯水吐出口を具備するとともに、前記ポンプを駆動するバッテリーを備え、前記湯水を浴槽本体内で撹拌循環させる湯水撹拌循環手段と、
を有し、
前記発熱剤と湯水との反応により湯水を適温に加熱するとともに、前記浴槽本体内の湯水を湯水撹拌循環手段で撹拌循環させ前記湯水中に炭酸ガスを発生させるようにしたことを特徴とする二酸化炭素泉浴装置。
【請求項３】
湯水を貯湯部に貯留する浴槽本体と、
湯水内に混入させる重曹と、
浴槽本体内に配置する酸化カルシウムとアルミニウム粉末をベースとした発熱剤を収容した熱源パックと、
湯水内に混入させる薬草と、
前記熱源パックを浴槽本体内で押さえ込む遠赤外線を放射する鉱石を用いた抑え部材と、
前記貯湯部に設けた仕切部により仕切られた仕切り内部に配置した湯水循環用のポンプ、仕切部に設けた湯水吸入口及び湯水吐出口を具備するとともに、前記ポンプを駆動するバッテリーを備え、前記湯水を浴槽本体内で撹拌循環させる湯水撹拌循環手段と、
を有し、
前記発熱剤と湯水との反応により湯水を適温に加熱するとともに、前記浴槽本体内の湯水を湯水撹拌循環手段で撹拌循環させ前記湯水中に炭酸ガスを発生させるようにしたことを特徴とする二酸化炭素泉浴装置。
【請求項４】
湯水を貯湯部に貯留する浴槽本体と、
この浴槽本体の底部に取り付けたキャスタと、
湯水内に混入させる重曹と、
浴槽本体内に配置する酸化カルシウムとアルミニウム粉末をベースとした発熱剤を収容した熱源パックと、
湯水内に混入させる薬草と、
前記熱源パックを浴槽本体内で押さえ込む遠赤外線を放射する鉱石を用いた抑え部材と、
前記貯湯部に設けた仕切部により仕切られた仕切り内部に配置した湯水循環用のポンプ、仕切部に設けた湯水吸入口及び湯水吐出口を具備するとともに、前記ポンプを駆動するバッテリーを備え、前記湯水を浴槽本体内で撹拌循環させる湯水撹拌循環手段と、
を有し、
前記発熱剤と湯水との反応により湯水を適温に加熱するとともに、前記浴槽本体内の湯水を湯水撹拌循環手段で撹拌循環させ前記湯水中に炭酸ガスを発生させるようにしたことを特徴とする二酸化炭素泉浴装置。
【発明の詳細な説明】
【技術分野】
【０００１】
本発明は、簡略安価な構造でしかも身体の健康促進に有効であり、家庭や施設等において何人も安心安全に利用できるような浴槽、特に足浴槽に関する二酸化炭素泉浴装置である。
【背景技術】
【０００２】
従来から知られている二酸化炭素泉は、湯水に炭酸ガスが溶け込んだものであり、医学的効能すなわち身体の健康促進に有効であることが知られている。
【０００３】
すなわち、二酸化炭素泉は、湯水中の炭酸ガスが皮膚から浸透し、抹消血管を拡張させることによって、血液の循環を促進し、新陳代謝を活発にする効果を発揮する。
【０００４】
ここに、二酸化炭素泉とは、温泉１ｋｇ中に１０００ｍｇ以上（１０００ｐｐｍ以上）の遊離二酸化炭素（炭酸ガス）を含んでいるものを言う（温泉法）。
【０００５】
このような二酸化炭素泉浴槽装置としては、人口肺型、撹拌型の構造のものが知られている。
【０００６】
人口肺型の二酸化炭素泉浴槽装置は、人口心肺装置を使用するため、装置構造が大型化し、高価格であり、人人工フィラメントの目詰まりを起こす等の問題がある。
【０００７】
また、撹拌型の二酸化炭素泉浴槽装置は、高圧炭素ボンベを使用するため、装置構造が大型化し、高価格であり、ボンベ取り替えの手間が必要である等の問題がある。
【０００８】
二酸化炭素泉浴槽装置に関連する技術として、特許文献１には、給湯機から浴槽への給湯水路の途中で、炭酸ガスを温水に自動的に混入させる手段として、給湯機の熱交換器の出口側に、炭酸ガスボンベからの炭酸ガスを温水中に混合する炭酸ガス混入装置を設けて、浴槽側に炭酸ガスセンサを設けた給湯システムが開示されている。
【０００９】
また、特許文献２には、中空糸濃を介して温水に炭酸ガスを溶解する構造を有する溶解器を設けた蛇口直結型炭酸泉の製造装置が開示されている。
【００１０】
しかし、特許文献１の場合、二酸化炭素の分圧や気液界面積を十分に大きくすることが困難で、水中の二酸化炭素濃度を高くすることが難しく、実用化は容易ではない。
【００１１】
また、特許文献２の場合、中空糸膜を介して温水に炭酸ガスを溶解する場合、長期間使用すると、中空糸膜に目詰まりが生じるため、定期的な部品交換が必要となる。
【特許文献１】特開平５−２３３７６号公報
【特許文献２】特開平８−１９７８４号公報
【発明の開示】
【発明が解決しようとする課題】
【００１２】
本発明が解決しようとする問題点は、簡略安価な構造でしかも身体の健康促進に有効であり、家庭や施設等において何人も安心安全に利用できるような浴槽、特に足浴槽に関する二酸化炭素泉浴装置が存在しない点である。
【課題を解決するための手段】
【００１３】
本発明に係る浴槽、特に足浴槽に関する二酸化炭素泉浴装置は、湯水を貯湯部に貯留する浴槽本体と、湯水内に混入させる重曹と、浴槽本体内に配置する酸化カルシウムとアルミニウム粉末をベースとした発熱剤を収容した熱源パックと、前記湯水を浴槽本体内で撹拌循環させる湯水撹拌循環手段と、を有し、前記発熱剤と湯水との反応により湯水を適温に加熱するとともに、前記浴槽本体内の湯水を湯水撹拌循環手段で撹拌循環させ前記湯水中に炭酸ガスを発生させるようにしたことを最も主要な特徴とする。
【発明の効果】
【００１４】
請求項１記載の発明によれば、簡略安価な構造でありながら、使用者の皮膚から体内へ炭酸ガスを浸透させることができ、皮膚や脳循環の活性化、血圧の低下、副交感神経の活性化、快適感の増進等の諸効果を発揮させることができる浴槽、特に足浴槽に関する二酸化炭素泉浴装置を提供することができる。
【００１５】
請求項２記載の発明によれば、湯水撹拌循環手段を貯湯部に設けた仕切部により仕切られた仕切り内部に配置した湯水循環用のポンプ、仕切部に設けた湯水吸入口及び湯水吐出口を具備し、ポンプを駆動するバッテリーを備える構成とし、請求項１記載の発明と同様な効果を発揮させることができ、更に、遠赤外線を放射する鉱石を用いた抑え部材を採用しているので、遠赤外線による身体を暖める効果をも期待できる浴槽、特に足浴槽に関する二酸化炭素泉浴装置を提供することができる。
【００１６】
請求項３記載の発明によれば、請求項２記載の発明と同様な効果を奏することに加え、湯水内に薬草を混入させる構成としているので、使用者の糖尿病、脳梗塞、冷え症等の疾病の改善効果をも期待できる浴槽、特に足浴槽に関する二酸化炭素泉浴装置を提供することができる。
【００１７】
請求項４記載の発明によれば、請求項３記載の発明と同様な効果を奏することに加え、
浴槽本体の底部にキャスタ取り付けた構成としているので、装置本体の室内等での移動の簡略容易化をも実現する浴槽、特に足浴槽に関する二酸化炭素泉浴装置を提供することができる。
【発明を実施するための最良の形態】
【００１８】
本発明は、簡略安価な構造でしかも身体の健康促進に有効であり、家庭や施設等において何人も安心安全に利用できるような浴槽、特に足浴槽に関する二酸化炭素泉浴装置を提供するという目的を有する。
【００１９】
本発明の装置は、湯水を貯湯部に貯留する浴槽本体と、湯水内に混入させる重曹と、浴槽本体内に配置する酸化カルシウムとアルミニウム粉末をベースとした発熱剤を収容した熱源パックと、前記熱源パックを浴槽本体内で押さえ込む遠赤外線を放射する鉱石を用いた抑え部材と、前記貯湯部に設けた仕切部により仕切られた仕切り内部に配置した湯水循環用のポンプ、仕切部に設けた湯水吸入口及び湯水吐出口を具備するとともに、前記ポンプを駆動するバッテリーを備え、前記湯水を浴槽本体内で撹拌循環させる湯水撹拌循環手段と、を有し、前記発熱剤と湯水との反応により湯水を適温に加熱するとともに、前記浴槽本体内の湯水を湯水撹拌循環手段で撹拌循環させ前記湯水中に炭酸ガスを発生させる構成として上記目的を実現した。
【実施例】
【００２０】
以下に、本発明の実施例に係る浴槽、特に足浴槽に関する二酸化炭素泉浴装置１について、図面を参照して詳細に説明する。
【００２１】
本実施例に係る浴槽、特に足浴槽に関する二酸化炭素泉浴装置１は、図１乃至図５に示すように、湯水Ｗを例えばステンレス材で形成した貯湯部３に貯留する上部が開口した略直方体状で、かつ、例えば木材で形成した浴槽本体２と、湯水Ｗ内に混入させる重曹(炭酸水素ナトリウム（ＮａＨＣＯ３）)４と、浴槽本体２内における貯湯部３の底面上に配置する酸化カルシウムとアルミニウム粉末をベースとした発熱剤６をこれらが溶出可能に収容した熱源パック５と、図４に示すように、前記熱源パック５上に載せて貯湯部３内で浮き上がらないように抑え込む遠赤外線を放射し身体を温める鉱石を用いた抑え部材７と、前記湯水Ｗ内に混入させる薬草８と、前記貯湯部３の一画に設けた仕切部９により仕切られた仕切り内部１０に配置した湯水撹拌循環手段１１と、を有している。
【００２２】
前記貯湯部３の底面には、湯水Ｗを外部に放水するための放水口３ａが設けられ、着脱可能な止水栓３ｂにより止水又は止水解除を行うように構成している。
【００２３】
前記浴槽本体２の後述する仕切部９の上側に位置する上辺部２ａには、前記重曹４、薬草８を前記仕切り内部１０内に投入するための投入穴２ｂを設けている。
【００２４】
前記浴槽本体２の底面には、図２に示すように、例えばその四隅に位置して４個のキャスタ１２を取り付け、この浴槽本体２の床面上等での移動を簡略容易としている。
【００２５】
次に、前記湯水撹拌循環手段１１について、図１、図２、図５も参照して説明する。前記湯水撹拌循環手段１１は、貯湯部３の一画にこの貯湯部３の中心側に向けて突出する例えばステンレス材を用い山形状を呈しその内部に三角柱状空間である仕切り内部１０を形成する仕切部９を具備している。
【００２６】
前記仕切り内部１０には、湯水循環用の吸引口２１ａを有するポンプ２１が固定部材２２を用いて固定配置されている。
【００２７】
前記浴槽本体２の例えば外壁部には、図３、図５に示すように、ポンプ２１を駆動するバッテリー２３を備えている。
【００２８】
このバッテリー２３の取り付け位置は特に限定されるものではなく、浴槽本体２の適宜箇所に取り付けることが可能である。
【００２９】
前記仕切部９の壁面には、細孔状の多数の湯水吸入口２４が穿設され、また、前記仕切部９の突出端側にはポンプ２１が吐出する湯水を貯湯部３内に放出する湯水吐出口２５を設けている。
【００３０】
すなわち、前記湯水撹拌循環手段１１は、バッテリー２３によって駆動されるポンプ２１の吸引、吐出動作によって、貯湯部３内の湯水を前記湯水吸入口２４を経て吸引口２１ａから吸引し、このポンプ２１が吐出する湯水を湯水吐出口２５から貯湯部３内に放出することで、貯湯部３内において湯水Ｗの循環及び撹拌を行うように構成している。
【００３１】
そして、前記投入穴２ｂから仕切り内部１０内に重曹４を投入することにより、ポンプ２１による湯水Ｗの循環及び撹拌に伴って、重曹４が湯水Ｗ内で化学反応（２ＮａＨＣＯ３→Ｎａ２ＣＯ３十ＣＯ２十Ｈ２Ｏ）を呈しながら、炭酸ガス（二酸化炭素）の気泡が湯水Ｗ中に発生し、前記湯水吐出口２５から貯湯部３中に放出される。
【００３２】
前記重曹４は、常温では白色粉末状で、水への溶解度は低い。また、その溶解液は、常温で放置した場合も徐々に分解が進み、６５℃以上に加熱すると、急速に炭酸ナトリウム、二酸化炭素(ガス)、水に分解する。二酸化炭素(ガス)（ＣＯ２）の大気分圧は、ほぼ３７０ｐｐｍで、分子量は約４４ｇ／ｍｏｌ、１６５ｇ／ｌ（２０℃）てせあり、また、気体の体積は２２．４１４ｌ／ｍｏｌ（０℃）、２３．５２７ｌ／ｍｏｌ（２０℃）であることから、重曹１００ｇからＣＯ２が約２６ｇ発生することになる。
【００３３】
そして、湯水Ｗの１ｌ辺り重曹１００ｇで計算上５８００ｐｐｍとなる。
したがって、本実施例の二酸化炭素泉浴装置１においては、温泉法に規定する二酸化炭素泉としての機能を発揮させることができる。
【００３４】
なお、重曹４は湯水Ｗへの溶解度が低く、６５℃で、上記のように炭酸ナトリウム、二酸化炭素、水の３物質に分解するが、例えば、３６〜４２℃であっても、水溶液中では各イオンに電離し、反応が容易になるため、固体よりも低い温度で反応し、撹拌によって分解を促進することができる。なお、重曹の他にクエン酸を使用することもできる。
【００３５】
次に、前記浴槽本体２内における貯湯部３の底面上に配置する本実施例の発熱剤６について説明する。
【００３６】
本実施例の発熱剤６は、火や電気を使用せずにいつでもどこでも水を注ぐだけで高温の蒸気が発生し、食品等を簡単に加熱調理できる発熱剤である。
【００３７】
従来の発熱剤と比較すると、最高温度は９８℃と安定し、熱量及び高温での持続時間が飛躍的に向上する。
【００３８】
本実施例の発熱剤６は、酸化カルシウムとアルミニウム粉末をベースに、発熱をコントロールする反応助剤を配合した組成となっている。
【００３９】
湯水Ｗとの反応は、ＣａＯ＋Ｈ２Ｏ→Ｃａ（ＯＨ）２の化学式の基に、成分中の酸化カルシウムがまず反応して水酸化カルシウムとなる。
【００４０】
次に、水酸化カルシウムがアルミニウム粉末と反応してアルミン酸カルシウムとなる時に、２Ａｌ＋３Ｃａ（ＯＨ）２→３ＣａＯ・Ａｌ２Ｏ３＋３Ｈ２の化学式の基に、高い熱エネルギーを発生する（日本特許：第３４６７７２９号）。
【００４１】
すなわち、アルミニウム粉末は常温では湯水Ｗと反応しないので、まず酸化カルシウムと湯水Ｗとを反応させ、水酸化カルシウムとし、その時に発生する熱エネルギーとアルカリ性水溶液を開始剤として、アルミニウムと水酸化カルシウムを反応させて高い熱エネルギーを貯湯部３内に放出させ、湯水Ｗを適温に加熱する仕組みである。
【００４２】
次に、本実施例の薬草８について説明する。
【００４３】
この薬草８としては、例えば
2010063828.tif 000003
その他の薬草を採用することができる。
【００４４】
そして、本実施例に係る二酸化炭素泉浴装置１の使用者の症状に応じて選択されたいずれかの薬草を、前記投入穴２ｂから仕切り内部１０内に投入し、湯水Ｗに混入することにより、当該使用者における例えば糖尿病、脳梗塞、冷え症、アトピー、花粉症、関節病等の疾病に対する改善効果を発揮させることができる。
【００４５】
次に、上述した構成からなる本実施例に係る二酸化炭素泉浴装置１の具体的効能について説明する。
【００４６】
本実施例に係る二酸化炭素泉浴装置１を、例えば図６に示すように、足湯槽タイプに構成して、使用者Ｍの足Ｌを貯湯部３内に浸すことにより、湯水Ｗ中の炭酸ガスが使用者Ｍの足Ｌの皮膚から浸透し、抹消血管を拡張させることによって、血液の循環を促進し、新陳代謝を活発にし、心臓血系への負担を小さくする効果を発揮させることができる。
【００４７】
また、自律神経機能については交感神経活動を抑える効果やリラックス効果、副交感神経系活動については副交感神経系を優勢にさせる効果、唾液中ＩｇＡの濃度を増進させる効果、末梢血管拡張作用に基づいた皮膚血流や脳血流の増加作用等を期待することができる。
【００４８】
すなわち、使用者Ｍの深部体温や心拍数、筋肉代謝をさほど上昇させなくても、皮膚や脳循環の活性化、血圧の低下、副交感神経の活性化、快適感の増進を来すことが期待できるものである。
【００４９】
なお、本実施例に係る二酸化炭素泉浴装置１を、例えば通常の全身型の浴槽タイプに構成することももちろん可能であり、この場合には、使用者Ｍが全身を湯水Ｗ内に浸すことによって、上述した場合と同様作用、効果を期待することができる。
【産業上の利用可能性】
【００５０】
本発明に係る浴槽、特に足浴槽に関する二酸化炭素泉浴装置は、一般家庭の他、温泉地や専門の浴場施設、スポーツ施設等広範な場所で幅広く応用でき、各々の場所で使用者が簡略容易に使用することで上述したような各種効果を享受することができる。
【図面の簡単な説明】
【００５１】
【図１】本発明の実施例に係る二酸化炭素泉浴装置の概略斜視図である。
【図２】本実施例に係る二酸化炭素泉浴装置の別の角度から見た概略斜視図である。
【図３】本実施例に係る二酸化炭素泉浴装置の湯水撹拌循環手段を示す概略拡大部分断面である。
【図４】本実施例に係る二酸化炭素泉浴装置の貯湯部及び熱源パックを示す拡大断面図である。
【図５】本実施例に係る二酸化炭素泉浴装置のポンプ、バッテリーを示すブロック図である。
【図６】本実施例に係る二酸化炭素泉浴装置の使用態様を示す概略斜視図である。
【符号の説明】
【００５２】
１    二酸化炭素泉浴装置
２    浴槽本体
２ａ  上辺部
２ｂ  投入穴
３    貯湯部
３ａ  放水口
３ｂ  止水栓
４    重曹
５    熱源パック
６    発熱剤
７    抑え部材
８    薬草
９    仕切部
１０    仕切り内部
１１    湯水撹拌循環手段
１２    キャスタ
２１    ポンプ
２１ａ  吸引口
２２    固定部材
２３    バッテリー
２４    湯水吸入口
２５    湯水吐出口
Ｌ    足
Ｍ    使用者
【図１】
2010063828.tif 000004
【図２】
2010063828.tif 000005
【図３】
2010063828.tif 000006
【図４】
2010063828.tif 000007
【図５】
2010063828.tif 000008
【図６】
2010063828.tif 000009